(57)【要約】【課題】吸盤によってボウル壁に取り付けて使用する洗髪ボウル用クッションについて、吸盤が確実強固にクッションに取り付けられるようにする。【解決手段】クッション本体２１と、クッション本体２１を洗髪ボウルのボウル壁に着脱可能に取り付けるための取付部材３１を備える。クッション本体２１には、その表裏を貫通する取付孔２２が形成される。取付部材３１は、吸盤部材３２と、吸盤部材３２を固定するためのクリップ等の固定部材３３とを備える。吸盤部材３２は、吸盤３４と、吸盤３４から正面側に伸びる軸部３５とを備え、軸部３５の先端には抜け止め部３７を備える。固定部材３３が軸部３５に強制嵌合されることによって、取付部材３１が強固にクッション本体２１に取り付けられる。【選択図】図５
0003176418.tif 000002
【実用新案登録請求の範囲】
【請求項１】
ボウルを構成するボウル壁を備えた洗髪ボウルに取り付けて使用する被施術者用のクッションにおいて、
前記クッションは、クッション本体と、前記クッション本体を前記洗髪ボウルに着脱可能に取り付けるための取付部材とを備え、
前記クッション本体には、その表裏を貫通する取付孔が形成され、
前記取付部材は、前記クッションの背面側に配置されて前記洗髪ボウルに吸着する吸盤部材と、前記取付孔よりも大きな固定部材とを備え、
前記吸盤部材は、吸盤と、前記吸盤から正面側に伸びる軸部とを備え、
前記軸部は、前記取付孔の背面側から正面側に挿通され、
前記軸部の先端側に前記固定部材が取り付けられることによって、前記吸盤部材が前記クッション本体から抜けないように固定されることを特徴とする洗髪ボウル用クッション。
【請求項２】
前記固定部材が前記軸部に対して着脱可能に強制嵌合されるクリップであり、前記固定部材は前記取付孔よりも大きいことを特徴とする請求項１記載の洗髪ボウル用クッション。
【請求項３】
前記軸部は、前記クリップが強制嵌合される被嵌合部と、前記被嵌合部の先端側に設けられた抜け止め部とを備え、前記抜け止め部によって前記クリップが前記軸部の先端側から抜けないようにしたことを特徴とする請求項２記載の洗髪ボウル用クッション。
【請求項４】
前記クッション本体は、柔軟シートによって構成された外装部と、前記外装部の中央の内部に配置された緩衝部とを備え、前記緩衝部の前方側と後方側とに前記取付部材が取り付けられるものであり、
前記前方側の取付部材が前記ボウル壁の外側に前記吸盤によって固定され、前記後方側の取付部材が前記ボウル壁の内側に前記吸盤によって固定され、
前記ボウル壁の頂部に前記緩衝部が配置されることを特徴とする請求項１〜３の何れかに記載の洗髪ボウル用クッション。
【請求項５】
前記取付部材は、前記緩衝部の前方側の左右と、前記緩衝部の後方側の左右とに取り付けられるものであり、
前記柔軟シートは、前右と後左との間及び前左と後右との間の斜め方向における伸びが、前後方向の伸び及び左右方向の伸びよりも大きいことを特徴とする請求項４記載の洗髪ボウル用クッション。
【請求項６】
前記柔軟シートは、芯材シートと、前記芯材シートの正面側と背面側とに設けられたクロロプレンゴム製のシートを含み、前記芯材シートは前記クロロプレンゴム製のシートよりも伸びが小さいものであり、
前記芯材シートは、前右と後左との間及び前左と後右との間の斜め方向における伸びが、前後方向の伸び及び左右方向の伸びよりも大きいことを特徴とする請求項５記載の洗髪ボウル用クッション。
【請求項７】
前記緩衝部は、シリコンゲルを前記クロロプレンゴム製のシートの内部に内包させたものであり、この内包部分には前記芯材シートが配置されていないことを特徴とする請求項６記載の洗髪ボウル用クッション。
【考案の詳細な説明】
【技術分野】
【０００１】
本考案は、洗髪ボウル用クッションに関するものである。
【背景技術】
【０００２】
理美容店やエステサロンにおいて、被施術者の頭部に、洗髪、頭髪トリートメント、頭皮トリートメント、染毛などの種々の施術を行う際には、洗髪ボウルにて行うことが一般的である。その際、洗髪ボウルのボウル内部に被施術者の頭部入れて、ボウルを構成するボウル壁には被施術者の首付近を載せて行うことが多い。ところが、ボウル壁は陶器製などの硬質材料で形成されているため、直に首を載せると、被施術者が痛みを感じてしまうことがある。そのため、ボウル壁に、ネープクッションと呼ばれるクッションを取り付けて、施術を行うことが多い（特許文献１〜３参照）。このクッションは、特許文献２、３に示されるように、吸盤によってボウル壁に取り付けられるものもあるが、従来の吸盤は、クッションからすぐに外れたりしてしまい、使いやすいものではなかった。
【先行技術文献】
【特許文献】
【０００３】
【特許文献１】特開平６−７２１６号公報
【特許文献２】実開平４−１２５８０６号公報
【特許文献３】登録実用新案第３０５７６５９号公報
【考案の概要】
【考案が解決しようとする課題】
【０００４】
本考案は、吸盤によってボウル壁に取り付けて使用する洗髪ボウル用クッションについて、吸盤が確実強固にクッションに取り付けられて、外れ難くすることを課題とする。特に、ボウル壁からクッションを取り外す際に、吸盤を引っ張らずにクッション本体を引っ張ってしまっても、クッション本体から吸盤のみが外れてしまうことを防止する。
【課題を解決するための手段】
【０００５】
本考案は、ボウルを構成するボウル壁を備えた洗髪ボウルに取り付けて使用する被施術者用のクッションにおいて、前記クッションは、クッション本体と、前記クッション本体を前記洗髪ボウルに着脱可能に取り付けるための取付部材とを備え、前記クッション本体には、その表裏を貫通する取付孔が形成され、前記取付部材は、前記クッションの背面側に配置されて前記洗髪ボウルに吸着する吸盤部材と、前記取付孔よりも大きな固定部材とを備え、前記吸盤部材は、吸盤と、前記吸盤から正面側に伸びる軸部とを備え、前記軸部は、前記取付孔の背面側から正面側に挿通され、前記軸部の先端側に前記固定部材が取り付けられることによって、前記吸盤部材が前記クッション本体から抜けないように固定されることを特徴とする洗髪ボウル用クッションを提供する。
【０００６】
前記固定部材は、前記軸部に対して着脱可能に強制嵌合されるクリップであり、比較的簡単に固定できるものであり、このクリップは前記取付孔よりも大きいことによって、挿通孔からの抜けが防止される。
【０００７】
前記軸部は、前記クリップが強制嵌合される被嵌合部と、前記被嵌合部の先端側に設けられた抜け止め部とを備え、前記抜け止め部によって前記クリップが前記軸部の先端側から抜けないようにすることで、より確実な固定が可能となる。
【０００８】
前記クッション本体は、柔軟シートによって構成された外装部と、前記外装部の中央の内部に配置された緩衝部とを備え、前記緩衝部の前方側と後方側とに前記取付部材が取り付けられるものであり、前記前方側の取付部材が前記ボウル壁の外側に前記吸盤によって固定され、前記後方側の取付部材が前記ボウル壁の内側に前記吸盤によって固定され、前記ボウル壁の頂部に前記緩衝部が配置されることで、緩衝部が確実にボウル頂部に保持された状態で、クッションを洗髪ボウルに取り付けることができる。
【０００９】
前記取付部材は、前記緩衝部の前方側の左右と、前記緩衝部の後方側の左右とに取り付けられるものであり、前記柔軟シートは、前右と後左との間及び前左と後右との間の斜め方向における伸びが、前後方向の伸び及び左右方向の伸びよりも大きいものとして実施することもできる。左前、右前、左後、右後の４箇所に取付部材が取り付けられているため、クッション本体をボウルに取り付ける際、上記の４箇所を順次止めていくが、その際、斜め方向に少し引っ張り、シートを少し伸ばしながら吸盤で固定することによって、綺麗に装着できる。
【００１０】
前記柔軟シートは、芯材シートと、前記芯材シートの正面側と背面側とに設けられたクロロプレンゴム製のシートを含み、前記芯材シートは前記クロロプレンゴム製のシートよりも伸びが小さいものであり、前記芯材シートは、前右と後左との間及び前左と後右との間の斜め方向における伸びが、前後方向の伸び及び左右方向の伸びよりも大きいものとして実施できる。クロロプレンゴム製のシートは皮膚感触もよく、それ自体に適度な弾性を有するものであるが、引っ張ることで伸びすぎるという欠点があり、これを芯材シートで補整する。その際、前記芯材シートは、前右と後左との間及び前左と後右との間の斜め方向における伸びが、前後方向の伸び及び左右方向の伸びよりも大きいものとすることで、柔軟シートに適度な緊張感を与えつつ、綺麗に装着できる。
【００１１】
前記緩衝部は、シリコンゲルを前記クロロプレンゴム製のシートの内部に内包させたものであり、この内包部分には前記芯材シートが配置されていないものとすることもできる。シリコンゲルは適度なクッション性を長期間安定して発揮することができる。内包部分には前記芯材シートが配置されていないことで、緩衝部が柔軟に被施術者の首の形状に応じて変形することができ、使用感を向上させることができる。
【考案の効果】
【００１２】
以上、本考案は、吸盤によってボウル壁に取り付けて使用する洗髪ボウル用クッションについて、吸盤が確実強固にクッションに取り付けられて、外れ難くすることを課題とする。特に、ボウル壁からクッションを取り外す際に、吸盤を引っ張らずにクッション本体を引っ張ってしまっても、クッション本体から吸盤のみが外れてしまうことを防止する。
【図面の簡単な説明】
【００１３】
【図１】本考案の実施の形態に係る洗髪ボウル用クッションの斜視図
【図２】同洗髪ボウル用クッションの使用状態の斜視図
【図３】同洗髪ボウル用クッションの平面図
【図４】同洗髪ボウル用クッションの背面図
【図５】（Ａ）同洗髪ボウル用クッションの取付部材の分解斜視図（Ｂ）同取付部材の固定構造を示す断面図
【図６】図３の中央横断面図
【考案を実施するための形態】
【００１４】
以下、図面に基づき本考案の実施の形態を説明する。
（概要）
この実施の形態に係るクッション２０は、美容室、理容室、エステ、育毛サロンなどに設置された洗髪ボウル１１に着脱可能に取り付けて用いられる。洗髪ボウル１１は、図２に示すように、湯水を受けるボウル１２を備え、このボウル１２は、その周囲がボウル壁１３によって規定される。ボウル壁１３は、全周が同じ高さであってもよいが、通常の洗髪ボウル１１にあっては、被施術者の首を配置するように、高さが低くなった凹部を備えており、この凹部にクッション２０が取り付けられる。このクッション２０は、前記の凹部が洗髪ボウル１１の正面に設けられているものや、左右の側面に設けられているものなど、種々の形態のものに適用できる。
【００１５】
クッション２０は、クッション本体２１と、このクッション２０をボウル壁１３に着脱可能に取り付けるための取付部材３１とを備える。取付部材３１は、クッション２０の背面側に配置されて、取付部材３１の吸盤３４を、洗髪ボウル１１のボウル壁１３に吸着させて取り付けられる。この例では、取付部材３１は４個が、クッション２０の前後の左右に１カ所ずつ配置されるが、前後少なくとも１個ずつあれば足りる。また、左右と中央の３個を、前側と後側のそれぞれに設けるなど、その個数は適宜変更して実施できる。
【００１６】
（クッション２０について）
クッション本体２１は、図６に示すように、柔軟シートによって構成された外装部２５と、外装部２５の中央の内部に配置された緩衝部２６とを備える。
外装部２５は、この例では、クロロプレンゴムなどのゴム製のゴムシート２８と、布材などの芯材シート２７との積層体にて構成される。より詳しくは、芯材シート２７を中央に配置して、その正面側と背面側とにゴムシート２８が配置され一体化されている。外装部２５の外周は、編地テープなどの縁取り材２４によって、縁取られている。
【００１７】
中央の緩衝部２６は、上下のゴムシート２８の内部に充填材が封入されている。この充填材としてはゲル状物２９が適する。ゲル状物２９としては、カルボキシメチルセルロースなどの高分子吸収体などに水を吸収させたものなどを用いることもできるが、シリコンゲルが長期間安定していると共に、柔らかさと適度な保形性を有する点で望ましい。充填材としては、発泡ウレタンや綿などの他のクッションに用いられているものに変更して実施することもできる。
【００１８】
前述の芯材シート２７は、全ての部分に配置してもよいが、この例では、緩衝部２６の部分には配置されておらず、ゲル状物２９の表裏全体がゴムシート２８のみによって覆われている。
【００１９】
（取付部材３１について）
このクッション本体２１の緩衝部２６の前後左右（即ち、前左、前右、後左、後右）の４箇所には、取付部材３１が配置されている。この取付部材３１を取り付けるために、外装部２５（芯材シート２７及びゴムシート２８）を貫通して取付孔２２が形成されている（図５参照）。取付孔２２は、金属製などの硬質のハトメ２３によって補強しておくことが望ましい。
【００２０】
取付部材３１は、クッション２０の背面側に配置される吸盤部材３２と、吸盤部材３２を取付孔２２に固定するための固定部材３３とを備える。なお、本考案の説明においては、クッション２０を表裏を基準として、その表側を正面側、裏側を背面側として説明するもので、取付部材３１に関する説明においても、同様である。
【００２１】
吸盤部材３２は、吸盤３４と、吸盤３４から正面側に伸びる軸部３５とを備える。吸盤３４は、塩化ビニルなどの合成樹脂の表面をゴムコーティングしたものや、シリコンゴムなど、吸着性能を発揮する種々の素材で形成される。軸部３５は、吸盤３４と同質の素材で一体成形してもよく、異なる素材で別体に形成したものを一体化してもよい。
【００２２】
軸部３５は、取付孔２２の背面側から正面側に挿通される。そして、この軸部３５の先端側に、取付孔２２よりも大きな固定部材３３が取り付けられることによって、クッション本体２１から抜けないように固定される。この固定部材３３には、平面視略Ｕ字状のクリップが用いられており、軸部３５の先端寄りの被嵌合部３６に強制嵌合される。この強制嵌合は、固定部材３３が弾性変形してもよく、被嵌合部３６が弾性変形してもよく、両者が弾性変形してもよい。固定部材３３は、クリップの他、ネジ止めでもよく、ピンを挿通するなどしてもよい。
【００２３】
軸部３５の先端（被嵌合部３６よりも先端側）には、抜け止め部３７が設けられている。この抜け止め部３７は、クリップの略Ｕ字状の溝幅よりも大きくしておくことなどで、固定部材３３が軸部３５からスッポ抜けることを防止する。
【００２４】
（洗髪ボウル１１への固定）
このクッション２０は、左前と右前の取付部材３１がボウル壁１３の外側に対して、吸盤３４によって固定され、左後と右後の取付部材３１がボウル壁１３の内側に対して、吸盤３４によって固定される。そして、ボウル壁１３の頂部に緩衝部２６が配置されることによって、被施術者の首を優しく支持することで、被施術者に苦痛を感じさせない。
【００２５】
クッション２０の位置を変更したり、クッション２０の洗浄を行う場合には、吸盤３４を引っ張ってボウル壁１３から取り外すことができる。また、吸盤３４の吸着力が減少したりすると、固定部材３３を外して、クッション本体２１から取り外すことができる。
【００２６】
（柔軟シートの望ましい形態）
取付部材３１をボウル壁１３から取り外す際などに、吸盤３４のみを引っ張ればよいが、クッション本体２１を引っ張って取り外そうとする者もある。その際、ゴムシート２８のみであると、ゴムシート２８が簡単に伸びて型崩れするため、前述の芯材シート２７を積層しておくことが望ましい。この場合、図３に示すように、芯材シート２７として、斜め方向ｃ（具体的には前右と後左とを結ぶ方向及び前左と後右とを結ぶ方向）における伸びが、前後方向ａの伸び及び左右方向ｂの伸びよりも大きいように構成する。例えば、芯材シート２７として織地を用いる場合には、生地の経糸と緯糸の方向を、前記のクッション本体２１の前後方向に配置し、生地のバイアス方向を、前記クッション本体２１の斜め方向に配置する。また、メリヤス等の編地を用いる場合にも、同様の伸び特性に配置する。この芯材シート２７の伸び率の具体例を示すと、斜め方向ｃは１１０〜１２０％に対して、前後方向ａと左右方向ｂは殆ど伸びないものとして１００〜１０５％とすることが適当である。上記のように、斜め方向ｃにおける伸びが、前後方向ａの伸び及び左右方向の伸びｂよりも大きくすることで、クッション本体２１をボウル１２に綺麗に取り付けることができる。
【符号の説明】
【００２７】
１１  洗髪ボウル
１２  ボウル
１３  ボウル壁
２０  クッション
２１  クッション本体
２２  取付孔
２３  ハトメ
２４  縁取り材
２５  外装部
２６  緩衝部
２７  芯材シート
２８  ゴムシート
２９  ゲル状物
３１  取付部材
３２  吸盤部材
３３  固定部材
３４  吸盤
３５  軸部
３６  被嵌合部
３７  抜け止め部
【図１】
0003176418.tif 000003
【図２】
0003176418.tif 000004
【図３】
0003176418.tif 000005
【図４】
0003176418.tif 000006
【図５】
0003176418.tif 000007
【図６】
0003176418.tif 000008